(57)【要約】【課題】設置作業が容易で、長期間使用しても良好なシール性を維持し、基礎部材と土台梁との隙間の変化にも対応できるような、建築用シール材を提供する。【解決手段】土台梁２００の長手方向に延び、基礎部材１００にねじ止めするためのねじ穴１２が所定間隔で開けられた、硬質部材質からなる平板状の台座部１０と、土台梁２００の長手方向に延び、土台梁２００に向けて台座部１０から延びる、硬質部材質からなるシール支持部１１により構成される取付基部と１、取付基部１に取付けられ、土台梁２００の長手方向に延び、土台梁２００に向けてシール支持部１１の上端部から延びる、軟質部材質からなるシール部２により構成され、シール部２が湾曲又は折曲して土台梁２００に弾接することにより、基礎部材１００と土台梁２００との間をシールする。【選択図】図１
2006022577.tif 000002
【特許請求の範囲】
【請求項１】
建築物の基礎部材と、前記基礎部材の上方に所定の空間を開けて配置される土台梁との間をシールする建築用シール材において、
前記土台梁の長手方向に延び、硬質部材質からなる平板状の取付基部と、
前記取付基部に取付けられ、前記土台梁の長手方向に延び、前記土台梁に向けて前記取付基部から延びる、軟質部材質からなるシール部により構成され、
前記シール部が湾曲又は折曲して前記土台梁に弾接することにより、前記基礎部材と前記土台梁との間をシールすることを特徴とする建築用シール材。
【請求項２】
建築物の基礎部材と、前記基礎部材の上方に所定の空間を開けて配置される土台梁との間をシールする建築用シール材において、
前記土台梁の長手方向に延び、硬質部材質からなる平板状の台座部と、前記土台梁の長手方向に延び、前記土台梁に向けて前記台座部から延びる、硬質部材質からなるシール支持部により構成される取付基部と、
前記取付基部に取付けられ、前記土台梁の長手方向に延び、前記土台梁に向けて前記シール支持部の上端部から延びる、軟質部材質からなるシール部により構成され、
前記シール部が湾曲又は折曲して前記土台梁に弾接することにより、前記基礎部材と前記土台梁との間をシールすることを特徴とする建築用シール材。
【請求項３】
前記シール支持部は、前記土台梁に向けて前記台座部の幅方向の端部から延びることを特徴とする請求項２に記載の建築用シール材。
【請求項４】
前記取付基部は、更に、前記基礎部材と接する下面に、前記土台梁の長手方向に延びる少なくとも１本以上の下面リップ部を有し、前記下面リップ部が前記基礎部材に弾接することにより、前記基礎部材との間をシールすることを特徴とする請求項１乃至請求項３のうちいずれか一つに記載の建築用シール材。
【請求項５】
前記取付基部は、更に、側面に、前記土台梁の長手方向に延びる側面リップ部を有し、前記側面リップ部が前記基礎部材に弾接することにより、前記基礎部材との間をシールすることを特徴とする請求項１乃至請求項３のうちいずれか一つに記載の建築用シール材。
【請求項６】
前記取付基部は、更に、前記基礎部材と接する下面に、前記土台梁の長手方向に延びる少なくとも１本以上の突起部を有し、前記突起部が前記基礎部材に弾接することにより、前記基礎部材との間をシールすることを特徴とする請求項１乃至請求項３のうちいずれか一つに記載の建築用シール材。
【請求項７】
前記取付基部は、更に、前記基礎部材と接する下面に、前記土台梁の長手方向に延びるスポンジ部を有し、前記スポンジ部が前記基礎部材に弾接することにより、前記基礎部材との間をシールすることを特徴とする請求項１乃至請求項３のうちいずれか一つに記載の建築用シール材。
【請求項８】
前記硬質部材質からなる平板状の取付基部に、前記基礎部材にねじ止めするためのねじ穴が所定間隔で開けられたことを特徴とする請求項１乃至請求項７のうちいずれか一つに記載の建築用シール材。
【発明の詳細な説明】
【技術分野】
【０００１】
本発明は、建築用シール材に関する。より詳しくは、建築物の基礎部材と基礎部材の上方に所定の空間を開けて配置される土台梁との間をシールする建築用シール材に関する。
【背景技術】
【０００２】
従来、建築物のコンクリート製の基礎部材と、建築物の床材を支える木製の土台梁との間には、基礎部材から土台梁へと雨水が伝って進入し土台梁が腐食するのを防止するために、所定の空間が開けられている。そしてさらに、この空間を通って建築物の内部に雨水が進入しないように、基礎部材と土台梁の間は建築用シール材によってシールされている。
【０００３】
このような建築用シール材として、例えば、図１３に示すように、基礎部材１００の上面にスポンジ部材４００をブチルテープ４０１により固定し、土台梁２００により挟み込むように配置することで、基礎部材１００と土台梁２００の間をシールするものがある。
また、図１４に示すように、土台梁２００の長手方向に延びる平板状のゴム製シール材５００を基礎部材１００に埋設し、ゴム製シール材５００の上端部を土台梁２００と弾接させることにより、基礎部材１００と土台梁２００の間をシールするものがある。
さらに、図１５に示すように、基礎部材１００と土台梁２００の間に、土台梁２００の長手方向に延びる複数本の突起部６０１を設けた合成樹脂製土台６００を設置する方法がある（例えば、特許文献１参照）。
【特許文献１】実開昭６０−１９６０２号公報
【発明の開示】
【発明が解決しようとする課題】
【０００４】
しかし、図１３に示すようなスポンジ部材４００を用いる方法では、スポンジ部材４００を基礎部材１００に固定するためにブチルテープ４０１を使用しているため、長期間の使用によりブチルテープ４０１の粘着力が低下し、シール性が低下してしまう恐れがある。さらに、スポンジ部材４００が吸水し、カビや凍害の原因に繋がる恐れがある。
【０００５】
また、図１４に示すような平板状のゴム製シール材５００を基礎部材１００に埋設する方法では、基礎部材１００のセメントが乾燥固化する前にゴム製シール材５００を基礎部材１００の中に埋設する必要があり、時間的な制約から作業性に問題が生じる。さらに、ゴム製シール材５００を基礎部材１００に埋設する深さによって、ゴム製シール材５００の基礎部材１００からの立ち上がり寸法が違ってくるため、基礎部材１００と土台梁２００をシールするための適切な立ち上がり寸法とするためには、埋設作業を慎重に行う必要がある。
【０００６】
また、図１５に示すような複数本の突起部６０１を設けた合成樹脂製土台６００を設置する方法では、基礎部材１００と土台梁２００との隙間が、土台梁２００の長手方向の位置によって変化した場合に対応できない。
【０００７】
そこで、本発明は上記従来の課題を解決するためのものであり、建築物の基礎部材と基礎部材の上方に所定の空間を開けて配置される土台梁との間をシールする場合に、設置作業が容易で、長期間使用しても良好なシール性を維持し、基礎部材と土台梁との隙間の変化にも対応できるような、建築用シール材を提供するものである。
【課題を解決するための手段】
【０００８】
上記従来の課題を解決するために、請求項１に係る発明の建築用シール材（３００）は、建築物の基礎部材（１００）と、前記基礎部材（１００）の上方に所定の空間を開けて配置される土台梁（２００）との間をシールする建築用シール材（３００）において、前記土台梁（２００）の長手方向に延び、硬質部材質からなる平板状の取付基部（１）と、前記取付基部（１）に取付けられ、前記土台梁（２００）の長手方向に延び、前記土台梁（２００）に向けて前記取付基部（１）から延びる、軟質部材質からなるシール部（２）により構成され、前記シール部（２）が湾曲又は折曲して前記土台梁（２００）に弾接することにより、前記基礎部材（１００）と前記土台梁（２００）との間をシールすることを特徴とする。
なお、上記における「硬質部材質」とは硬質ゴム、硬質樹脂、又は金属を表し、「軟質部材質」とは軟質なゴム、ゴム様弾性体、吸水率の低いスポンジゴム、又は発泡樹脂を表すものであり、いずれも吸水率の高いスポンジは含まない。以下においても同様である。
【０００９】
また、請求項２に係る発明は、建築物の基礎部材（１００）と、前記基礎部材（１００）の上方に所定の空間を開けて配置される土台梁（２００）との間をシールする建築用シール材（３００）において、前記土台梁（２００）の長手方向に延び、硬質部材質からなる平板状の台座部（１０）と、前記土台梁（２００）の長手方向に延び、前記土台梁（２００）に向けて前記台座部（１０）から延びる、硬質部材質からなるシール支持部（１１）により構成される取付基部（１）と、前記取付基部（１）に取付けられ、前記土台梁（２００）の長手方向に延び、前記土台梁（２００）に向けて前記シール支持部（１１）の上端部から延びる、軟質部材質からなるシール部（２）により構成され、前記シール部（２）が湾曲又は折曲して前記土台梁（２００）に弾接することにより、前記基礎部材（１００）と前記土台梁（２００）との間をシールすることを特徴とする。
【００１０】
また、請求項３に係る発明は、請求項２に記載の発明において、前記シール支持部（１１）は、前記土台梁（２００）に向けて前記台座部（１０）の幅方向の端部から延びることを特徴とする。
【００１１】
また、請求項４に係る発明は、請求項１乃至請求項３のうちいずれか一つに記載の発明において、前記取付基部（１）は、更に、前記基礎部材（１００）と接する下面に、前記土台梁（２００）の長手方向に延びる少なくとも１本以上の下面リップ部（１３）を有し、前記下面リップ部（１３）が前記基礎部材（１００）に弾接することにより、前記基礎部材（１００）との間をシールすることを特徴とする。
【００１２】
また、請求項５に係る発明は、請求項１乃至請求項３のうちいずれか一つに記載の発明において、前記取付基部（１）は、更に、側面に、前記土台梁（２００）の長手方向に延びる側面リップ部（１４）を有し、前記側面リップ部（１４）が前記基礎部材（１００）に弾接することにより、前記基礎部材（１００）との間をシールすることを特徴とする。
【００１３】
また、請求項６に係る発明は、請求項１乃至請求項３のうちいずれか一つに記載の発明において、前記取付基部（１）は、更に、前記基礎部材（１００）と接する下面に、前記土台梁（２００）の長手方向に延びる少なくとも１本以上の突起部（１５）を有し、前記突起部（１５）が前記基礎部材（１００）に弾接することにより、前記基礎部材（１００）との間をシールすることを特徴とする。
【００１４】
また、請求項７に係る発明は、請求項１乃至請求項３のうちいずれか一つに記載の発明において、前記取付基部（１）は、更に、前記基礎部材（１００）と接する下面に、前記土台梁（２００）の長手方向に延びるスポンジ部（１６）を有し、前記スポンジ部（１６）が前記基礎部材（１００）に弾接することにより、前記基礎部材（１００）との間をシールすることを特徴とする。
【００１５】
また、請求項８に係る発明は、請求項１乃至請求項７のうちいずれか一つに記載の発明において、前記硬質部材質からなる平板状の取付基部（１）に、前記基礎部材（１００）にねじ止めするためのねじ穴（１２）が所定間隔で開けられたことを特徴とする。
【００１６】
なお、括弧内の記号は、発明を実施するための最良の形態および図面に記載された対応要素または対応事項を示す。
【発明の効果】
【００１７】
請求項１に記載の発明によれば、建築用シール材は、硬質部材質からなる取付基部と、軟質部材質からなるシール部により構成されているため、軟質部材質からなるシール部が湾曲又は折曲して土台梁に弾接することにより、基礎部材と土台梁との間をシールすることができる。従って、基礎部材と土台梁との隙間が土台梁の長手方向の位置によって変化した場合にも、湾曲又は折曲の程度を変化させることで、良好なシール性を実現することができる。
さらに、建築用シール材には吸水率の高いスポンジ部材を用いないので、長期間の使用により吸水し、カビや凍害の原因に繋がる恐れがない。ここで吸水率の高いスポンジとは、試験方法にもよるが、一般的には吸水率が５％以上のものを示す。
【００１８】
また、請求項２に記載の発明によれば、建築用シール材の取付基部は、硬質部材質からなる平板状の台座部と、土台梁に向けて台座部から台座部の垂直方向に延びる、硬質部材質からなる平板状のシール支持部により構成されているので、建築用シール材の剛性を増大させることができる。
【００１９】
すなわち、シール支持部がない場合、シール部は取付基部の台座部から土台梁に向けて延びるため、シール部と土台梁が弾接したときに、軟質部材質であるシール部が台座部と接する付け根部分から湾曲又は折曲してしまう恐れがある。
これに対して、シール支持部を設けた場合には、シール部はシール支持部の上端部から土台梁に向けて延びるため、シール部と土台梁が弾接したときに、軟質部材質であるシール部がシール支持部の上端部と接する部分から湾曲又は折曲することとなり、台座部と接する付け根部分から湾曲又は折曲する場合に比べてシール圧力を増大させることができるのである。
【００２０】
また、請求項３に記載の発明によれば、請求項２に記載の発明の作用効果に加えて、取付基部のシール支持部が土台梁に向けて台座部の幅方向の端部から延びるので、取付基部の断面を略Ｌ字形とすることができる。従って、建築用シール材を基礎部材にねじ止めするためのねじ穴を、台座部の長手方向に一列設ければよい。
【００２１】
また、請求項４に記載の発明によれば、請求項１乃至請求項３のうちいずれか一つに記載の発明の作用効果に加えて、取付基部が基礎部材と接する下面に土台梁の長手方向に延びる少なくとも１本以上の下面リップ部を有するので、下面リップ部が基礎部材と弾接することにより基礎部材との間のシール性をさらに向上させることができる。
【００２２】
また、請求項５に記載の発明によれば、請求項１乃至請求項３のうちいずれか一つに記載の発明の作用効果に加えて、取付基部が側面に土台梁の長手方向に延びる側面リップ部を有するので、側面リップ部が基礎部材と弾接することにより基礎部材との間のシール性をさらに向上させることができる。
【００２３】
また、請求項６に記載の発明によれば、請求項１乃至請求項３のうちいずれか一つに記載の発明の作用効果に加えて、取付基部が基礎部材と接する下面に土台梁の長手方向に延びる少なくとも１本以上の突起部を有するので、突起部が基礎部材と弾接することにより基礎部材との間のシール性をさらに向上させることができる。
【００２４】
また、請求項７に記載の発明によれば、請求項１乃至請求項３のうちいずれか一つに記載の発明の作用効果に加えて、取付基部が基礎部材と接する下面に土台梁の長手方向に延びるスポンジ部を有するので、スポンジ部が基礎部材と弾接することにより基礎部材との間のシール性をさらに向上させることができる。
【００２５】
また、請求項８に記載の発明によれば、請求項１乃至請求項７のうちいずれか一つに記載の発明の作用効果に加えて、建築用シール材を構成する硬質部材質からなる平板状の取付基部には、基礎部材にねじ止めするためのねじ穴が所定間隔で設けられているため、基礎部材に固定するには、このねじ穴を通してねじ止めすればよい。
従って、ブチルテープを用いて固定する場合のように、長期間の使用により粘着力が低下し、シール性が低下してしまうことがない。
また、平板状のゴム製シール材を用いた場合のように、セメントが乾燥固化する前にゴム製シール材を基礎部材に埋設する必要がないので、完成後（乾燥固化後）の基礎部材の上に固定すればよく、作業時間の制約がない。
さらに、基礎部材に埋設することがないので、シール材の基礎部材からの立ち上がり寸法を一定にすることができ、作業が容易となる。
【発明を実施するための最良の形態】
【００２６】
次に、図１乃至図３を参照して、本発明の実施形態１に係る建築用シール材について説明する。
図１は本発明の実施形態１に係る建築用シール材の斜視図であり、図２は図１のＡ−Ａ断面図、図３は図１に示した建築用シール材を基礎部材と土台梁の間に設置した状態を示す図である。
【００２７】
まず、実施形態１に係る建築用シール材３００の構成について説明する。
図１及び図２に示すように、建築用シール材３００は、取付基部１とシール部２から構成される。
取付基部１は、土台梁２００の長手方向に延びる平板状の台座部１０と、土台梁２００の長手方向に延び、土台梁２００に向けて台座部１０の幅方向の端部から台座部１０の垂直方向に延びる平板状のシール支持部１１からなり、断面Ｌ字形に構成されている。
また、台座部１０には、建築物の基礎部材１００にねじ止めするためのねじ穴１２が所定間隔で開けられている。ここで、取付基部１は、硬質部材質である硬質ゴム、硬質樹脂、又は金属からなり、吸水率の高いスポンジからなるものではない。
【００２８】
また、シール部２は、土台梁２００の長手方向に延びる平板状部材であり、取付基部１のシール支持部１１の上端に取付けられ、土台梁２００に向けて台座部１０の垂直方向に延びている。シール部２は、軟質部材質である軟質なゴム、ゴム様弾性体、吸水率の低いスポンジゴム、又は発泡樹脂からなり、吸水率の高いスポンジからなるものではない。
なお、取付基部１とシール部２は、別々に成形してから接合してもよいし、一体成形してもよい。
【００２９】
次に、建築用シール材３００を建築物の基礎部材１００と土台梁２００の間に設置した状態について説明する。
図３に示すように、建築用シール材３００は、コンクリート製の基礎部材１００の上面に設置され、台座部１０に開けられたねじ穴１２を通して、ねじ３により基礎部材１００に固定される。
また、シール部２は、土台梁２００と弾接して湾曲又は折曲することにより、土台梁２００との間をシールしている。
【００３０】
上記実施形態１に係る建築用シール材３００によれば、建築用シール材３００の取付基部１を構成する硬質部材質からなる平板状の台座部１０には、基礎部材１００にねじ止めするためのねじ穴１２が所定間隔で設けられているため、建築用シール材３００を基礎部材１００に固定するには、このねじ穴１２を通してねじ止めすればよい。
従って、図１３に示す従来例において、スポンジ４００をブチルテープ４０１を用いて固定する場合のように、長期間の使用によりブチルテープ４０１の粘着力が低下し、シール性が低下してしまうことがない。また、設置作業が天候に左右されず、基礎部材１００上での位置決めも容易である。
【００３１】
また、図１４に示す従来例において、平板状のゴム製シール材５００を用いた場合のように、基礎部材１００のセメントが乾燥固化する前にゴム製シール材５００を基礎部材１００に埋設する必要がないので、基礎部材１００の完成後（乾燥固化後）に建築用シール材３００を固定すればよく、作業時間が制約されない。
さらに、建築用シール材３００を基礎部材１００に埋設することがないので、建築用シール材３００の基礎部材１００からの立ち上がり寸法を一定にすることができる。従って、
埋設の深さを気にすることなく、容易に作業することができる。
【００３２】
また、建築用シール材３００は、硬質部材質からなる取付基部１と、軟質部材質からなるシール部２により構成されているため、軟質部材質からなるシール部２が湾曲又は折曲して土台梁２００に弾接することにより、基礎部材１００と土台梁２００との間をシールすることができる。従って、基礎部材１００と土台梁２００との隙間が土台梁２００の長手方向の位置によって変化した場合にも、軟質部材質からなるシール部２の湾曲又は折曲の程度を変化させることで、良好なシール性を実現することができる。
さらに、取付基部１とシール部２には、ともに吸水率の高いスポンジ部材を用いないので、長期間の使用により吸水し、カビや凍害の原因となることがない。
【００３３】
また、建築用シール材３００の取付基部１は、基礎部材１００にねじ止めするためのねじ穴１２が所定間隔で開けられた、硬質部材質からなる平板状の台座部１０と、土台梁２００に向けて台座部１０から台座部１０の垂直方向に延びる、硬質部材質からなる平板状のシール支持部１１により構成されているので、建築用シール材３００の剛性を増大させることができる。
【００３４】
すなわち、シール支持部１１がない場合、シール部２は取付基部１の台座部１０から土台梁２００に向けて延びるため、シール部２と土台梁２００が弾接したときに、軟質部材質であるシール部２が台座部１０と接する付け根部分から湾曲又は折曲してしまう恐れがある。
これに対して、シール支持部１１を設けた場合には、シール部２はシール支持部１１の上端部から土台梁２００に向けて延びるため、シール部２と土台梁２００が弾接したときに、軟質部材質であるシール部２がシール支持部１１の上端部と接する部分から湾曲又は折曲することとなり、台座部１０と接する付け根部分から湾曲又は折曲する場合に比べてシール圧力を増大させることができるのである。
【００３５】
次に、図４及び図５を参照して、本発明の実施形態２に係る建築用シール材について説明する。
図４は本発明の実施形態２に係る建築用シール材の断面図であり、図５は実施形態２に係る建築用シール材を基礎部材と土台梁の間に設置した状態を示す図である。
まず、実施形態２に係る建築用シール材３００の構成について説明する。
実施形態２に係る建築用シール材３００は、実施形態１とほぼ同様の構成であるが、図４に示すように、取付基部１の基礎部材１００と接する下面に、土台梁２００の長手方向に延びる２本の下面リップ部１３を有する点が異なる。
【００３６】
次に、実施形態２に係る建築用シール材３００を建築物の基礎部材１００と土台梁２００の間に設置した状態について説明する。
実施形態１と同様に、建築用シール材３００は、コンクリート製の基礎部材１００の上面に設置され、台座部１０に開けられたねじ穴１２を通して、ねじ３により基礎部材１００に固定される。また、シール部２は、土台梁２００と弾接して湾曲又は折曲することにより、土台梁２００との間をシールしている。
ここで、さらに実施形態２においては、取付基部１の下面に設けられた下面リップ部１３が、ねじ３を締め付けることにより、基礎部材１００と弾接し、取付基部１の台座部１０と基礎部材１００との間で折曲している。
【００３７】
上記実施形態２に係る建築用シール材３００によれば、取付基部１の下面に設けられた下面リップ部１３が、基礎部材１００と弾接し、取付基部１の台座部１０と基礎部材１００との間で折曲しているので、台座部１０と基礎部材１００の間から進入する水を阻止することができ、基礎部材１００との間のシール性をさらに向上させることができる。
【００３８】
なお、実施形態２においては下面リップ部１３を２本設けたが、これに限らず、少なくとも１本以上の下面リップ部１３を設ければ、基礎部材１００と弾接させることにより、シール性を向上させることが可能である。
【００３９】
次に、図６及び図７を参照して、本発明の実施形態３に係る建築用シール材について説明する。
図６は本発明の実施形態３に係る建築用シール材の断面図であり、図７は実施形態３に係る建築用シール材を基礎部材と土台梁の間に設置した状態を示す図である。
まず、実施形態３に係る建築用シール材３００の構成について説明する。
実施形態３に係る建築用シール材３００は、実施形態１とほぼ同様の構成であるが、図６に示すように、取付基部１の側面に、土台梁２００の長手方向に延びる側面リップ部１４を有する点が異なる。
【００４０】
次に、実施形態３に係る建築用シール材３００を建築物の基礎部材１００と土台梁２００の間に設置した状態について説明する。
実施形態１と同様に、建築用シール材３００は、コンクリート製の基礎部材１００の上面に設置され、台座部１０に開けられたねじ穴１２を通して、ねじ３により基礎部材１００に固定される。また、シール部２は、土台梁２００と弾接して湾曲又は折曲することにより、土台梁２００との間をシールしている。
ここで、さらに実施形態３においては、取付基部１の側面に設けられた側面リップ部１４が、基礎部材１００と弾接している。
【００４１】
上記実施形態３に係る建築用シール材３００によれば、取付基部１の側面に設けられた側面リップ部１４が、基礎部材１００と弾接しているので、台座部１０と基礎部材１００の間から進入する水を阻止することができ、基礎部材１００との間のシール性をさらに向上させることができる。
ここで、実施形態３においては、側面リップ部１４を取付基部１のシール支持部１１側の側面に設けたが、反対側の側面に設ける構成としてもよい。
【００４２】
また、実施形態４として、図８に、取付基部１の基礎部材１００と接する下面に、土台梁２００の長手方向に延びる２本の突起部１５を設けたものを示す。
実施形態４に係る建築用シール材３００によれば、突起部１５を基礎部材１００に弾接させることにより、台座部１０と基礎部材１００の間から進入する水を阻止することができ、基礎部材１００との間のシール性をさらに向上させることができる。
【００４３】
なお、実施形態４においては突起部１５を２本設けたが、これに限らず、少なくとも１本以上の突起部１５を設ければ、基礎部材１００と弾接させることにより、シール性を向上させることが可能である。
【００４４】
さらに、実施形態５として、図９に、取付基部１の基礎部材１００と接する下面に、土台梁２００の長手方向に延びるスポンジ部１６を設けたものを示す。
実施形態５に係る建築用シール材３００によれば、スポンジ部１６を基礎部材１００に弾接させることにより、台座部１０と基礎部材１００の間から進入する水を阻止することができ、基礎部材１００との間のシール性をさらに向上させることができる。
【００４５】
なお、実施形態１〜５においては、取付基部１は、平板状の台座部１０と、土台梁２００に向けて台座部１０の幅方向の端部から台座部１０の垂直方向に延びる平板状のシール支持部１１により構成され、断面がＬ字形となるような形状としたが、本発明はこれに限定されるものではない。
【００４６】
例えば、図１０に示すように、取付基部１にシール支持部１１が存在せず台座部１０のみからなり、シール部２が台座部１０に取付けられた場合であっても、シール部２が湾曲又は折曲して土台梁２００に弾接することにより、基礎部材１００と土台梁２００との間をシールすることが可能である。
この場合、シール支持部１１が存在する場合に比べて、建築用シール材３００の剛性が低下し、シール圧力が弱まる恐れがあるが、一方で、土台梁２００との弾接時に湾曲又は折曲すべき軟質部材質部分の垂直方向における割合が高くなるので、基礎部材１００と土台梁２００の隙間の変化には幅広く対応できる。
【００４７】
また、図１１に示すように、シール支持部１１が、土台梁２００に向けて台座部１０の幅方向の略中央部から台座部１０の垂直方向に延び、取付基部１の断面が逆Ｔ字形となるような構成としてもよい。
この場合、建築用シール材３００を基礎部材１００にねじ止めするためのねじ穴１２をシール支持部１１の両サイドに設けることで、建築用シール材３００を基礎部材１００に強固に固定することができる。
一方で実施形態１〜５のように、取付基部１を断面Ｌ字形の形状とすれば、建築用シール材３００を基礎部材１００にねじ止めするためのねじ穴１２を台座部１０の長手方向に一列設ければよいので、設置作業が簡略化される。
【００４８】
さらに、図１２に示すように、（ａ）湾曲板状のシール部２を取付基部１に斜め方向に取り付けたもの、（ｂ）シール部２を２本取付けたもの、（ｃ）シール部２を中空状にしたもの、（ｄ）シール部２の厚みを取付基部１側から土台梁２００側にかけて、徐々に薄くしたものなどがあり、土台梁２００の幅や基礎部材１００との間隔などの設置条件に応じて他の構成とすることが可能である。
【００４９】
また、硬質部材質からなる平板状の取付基部１を基礎部材１００にねじ止めするためのねじ穴１２は、建築用シール材３００にあらかじめ開けていてもよいし、現場で取付直前に開けてもよい。また、ねじ穴１２なしで直接ねじ止め固定をしてもよい。
【図面の簡単な説明】
【００５０】
【図１】本発明の実施形態１に係る建築用シール材の斜視図である。
【図２】図１のＡ−Ａ断面図である。
【図３】実施形態１に係る建築用シール材の設置状態を示す断面図である。
【図４】実施形態２に係る建築用シール材の断面図である。
【図５】実施形態２に係る建築用シール材の設置状態を示す断面図である。
【図６】実施形態３に係る建築用シール材の断面図である。
【図７】実施形態３に係る建築用シール材の設置状態を示す断面図である。
【図８】実施形態４に係る建築用シール材の断面図である。
【図９】実施形態５に係る建築用シール材の断面図である。
【図１０】別の実施形態に係る建築用シール材の断面図である。
【図１１】さらに別の実施形態に係る建築用シール材の断面図である。
【図１２】さらに別の実施形態に係る建築用シール材の断面図である。
【図１３】従来例に係る建築用シール材とその設置状態を示す断面図である。
【図１４】従来例に係る建築用シール材とその設置状態を示す断面図である。
【図１５】従来例に係る建築用シール材とその設置状態を示す断面図である。
【符号の説明】
【００５１】
１      取付基部
２      シール部
３      ねじ
１０      台座部
１１      シール支持部
１２      ねじ穴
１３      下面リップ部
１４      側面リップ部
１５      突起部
１６      スポンジ部
１００      基礎部材
２００      土台梁
３００      建築用シール材
４００      スポンジ部材
４０１      ブチルテープ
５００      ゴム製シール材
６００      合成樹脂製土台
６０１      突起部
【図１】
2006022577.tif 000003
【図２】
2006022577.tif 000004
【図３】
2006022577.tif 000005
【図４】
2006022577.tif 000006
【図５】
2006022577.tif 000007
【図６】
2006022577.tif 000008
【図７】
2006022577.tif 000009
【図８】
2006022577.tif 000010
【図９】
2006022577.tif 000011
【図１０】
2006022577.tif 000012
【図１１】
2006022577.tif 000013
【図１２】
2006022577.tif 000014
【図１３】
2006022577.tif 000015
【図１４】
2006022577.tif 000016
【図１５】
2006022577.tif 000017